(57)【要約】【課題】  音声登録型音声認識において、音声登録時に音声を２回以上発声させる負担を負わせることなく、実行時の音声認識の精度を、登録時に２回以上発声した場合の精度に近づける。【解決手段】  ユーザが発声した登録対象の音声を取得し、取得した登録対象の音声に対応する音声情報をメモリに登録し、別途ユーザが発声した認識対象の音声を、メモリに登録されている音声情報を用いて音声認識して１つ又は複数の認識結果を出力し、出力された１つ又は複数の認識結果の中から、ユーザが意図した認識結果を特定するとともに、特定された認識結果に対応する登録音声情報として、認識対象として発声された音声に対応する音声情報を登録する。【選択図】  図２
2009104047.tif 000002
【特許請求の範囲】
【請求項１】
ユーザが発声した音声を取得する取得手段と、
前記取得手段で取得した登録対象の音声に対応する音声情報を登録音声情報としてメモリに登録する登録手段と、
前記取得手段で取得した認識対象の音声を、前記メモリに登録されている登録音声情報を用いて音声認識し、１つ又は複数の認識結果を出力する音声認識手段
と、
前記音声認識手段により出力された１つ又は複数の認識結果の中から、ユーザが意図した認識結果を特定する特定手段とを備え、
前記登録手段は、前記特定手段によって特定された認識結果に対応する登録音声情報として、前記認識対象の音声に対応する音声情報を登録することを特徴とする情報処理装置。
【請求項２】
前記登録手段は、前記登録対象の音声に対応する音声情報を登録音声情報として所定の操作情報と対応付けて登録し、
前記音声認識手段は、前記認識結果として、前記音声情報に対応する操作情報を出力し、
前記特定手段は、認識結果として出力された１つ又は複数の操作情報の中から、ユーザが意図した操作情報を特定し、
前記登録手段は、前記特定手段によって特定された操作情報に対応する登録音声情報として、前記認識対象の音声に対応する音声情報を登録することを特徴とする請求項１記載の情報処理装置。
【請求項３】
前記音声認識手段が出力した１つ又は複数の認識結果を表示画面に表示させる表示制御手段を更に備え、
前記特定手段は、前記表示制御手段により表示された１つ又は複数の認識結果のうち、ユーザによって選択された認識結果を、ユーザが意図した認識結果として特定することを特徴とする請求項１に記載の情報処理装置。
【請求項４】
前記音声認識手段が出力した１つ又は複数の認識結果をユーザに提示してユーザが意図した認識結果を選択させる確認ダイアログを出力するか否かを判定する判定手段を更に備え、
前記特定手段は、前記判定手段で確認ダイアログを出力すると判定された場合に、前記確認ダイアログに従ってユーザが選択した認識結果を、ユーザが意図した認識結果として特定することを特徴とする請求項１に記載の情報処理装置。
【請求項５】
前記音声認識手段は、確信度付きの認識結果を出力し、
前記判定手段は、前記認識結果の第一位候補の確信度が他の候補に対して有意な差がない場合に、前記確認ダイアログを出力すると判定することを特徴とする請求項４に記載の情報処理装置。
【請求項６】
前記有意な差とは、前記第一位候補の確信度の値が所定の値より大きいことであること又は前記第一位候補の確信度と第二位候補の確信度の差が所定の値より大きいことであることを特徴とする請求項５に記載の情報処理装置。
【請求項７】
前記音声認識手段が出力した認識結果のうちの１つに対応する処理を実行する実行手段を更に備え、
前記判定手段は、前記実行手段によって実行された処理に対して、ユーザが取り消し操作を行った場合に、前記確認ダイアログを出力すると判定する特徴とする請求項４に記載の情報処理装置。
【請求項８】
前記音声認識手段が出力した認識結果のうちの１つに対応する処理を実行する実行手段を更に備え、
前記特定手段は、前記実行手段によって実行された処理に対して、ユーザが取り消し操作を行わなかった場合に、前記実行手段によって実行された処理に対応する認識結果を、ユーザが意図した認識結果として特定することを特徴とする請求項１に記載の情報処理装置。
【請求項９】
前記音声に対応する音声情報とは、当該音声に対応する音声データ又は当該音声を音声認識して得られる音節列であることを特徴とする請求項１に記載の情報処理装置。
【請求項１０】
ユーザが発声した音声を取得する取得工程と、
前記取得工程で取得した登録対象の音声に対応する音声情報を登録音声情報としてメモリに登録する第１の登録工程と、
前記取得工程で取得した認識対象の音声を、前記メモリに登録されている登録音声情報を用いて音声認識し、１つ又は複数の認識結果を出力する音声認識工程と、
前記音声認識工程で出力された１つ又は複数の認識結果の中から、ユーザが意図した認識結果を特定する特定工程と、
前記特定工程によって特定された認識結果に対応する登録音声情報として、前記認識対象音声に対応する音声情報をメモリに登録する第２の登録工程とを備えることを特徴とする情報処理方法。
【請求項１１】
請求項１０に記載の情報処理方法をコンピュータに実行させるためのプログラム。
【請求項１２】
請求項１１に記載のプログラムを記録したコンピュータ読み取り可能な記憶媒体。
【発明の詳細な説明】
【技術分野】
【０００１】
本発明は、音声登録型の音声認識を行う情報処理方法に関する。
【背景技術】
【０００２】
音声認識は、認識可能な語彙を記述した文法に基づいて認識を行う方式の他に、あらかじめ発声した音声を一つまたは複数登録しておき、実行時には、入力音声と最も類似した登録音声を求める方式がある。後者は音声登録型音声認識と呼ぶ。例として、電話番号をダイヤルする代わりに、かける相手の名前を発声することで電話をかけることのできる電話機を考えてみる。発信先音声登録モードにおいて、「鈴木一郎」さんの電話番号“０３−１ＸＸＸ−ＸＸＸＸ”に対し、“イチロー”と発声した音声を対応付けて登録する。登録後は、発信モードで”イチロー”と発声することで、“０３−１ＸＸＸ−ＸＸＸＸ”に電話をかけることができるようになる。同様に、「○×歯科医院」の電話番号“０４５−２ＸＸ−ＸＸＸＸ”に対し、“ハイシャサン”と発声して音声を登録すれば、その後、“ハイシャサン”と発声するだけで、「○×歯科医院」に電話をかけることができる。登録する音声は好きな言葉でよい。
【０００３】
このような音声登録型音声認識を実現する一般的な方法は、次のようなものである。任意の音節列を受理可能な音声認識文法１を用意しておき、登録時の発声をこの音声認識文法１を用いて認識し、認識結果として音節列を出力する。この音節列を、対象となる電話番号と対応付けて実行用の音声認識文法２に登録する。発信モードでは、入力音声を音声認識文法２を用いて認識する。
【特許文献１】特開２０００−２７６１８７号公報
【発明の開示】
【発明が解決しようとする課題】
【０００４】
前述の例では、音声登録時に、音声を１回だけ発声する場合を説明したが、これでは実行時の精度が十分に出ないという問題があり、音声を２回以上発声して登録するように設計することが多い。この設計によれば精度を向上することは可能だが、ユーザの負担が増えるという問題があった。
【０００５】
特許文献１では、実行時の第一の入力音声が認識不能、または誤認識であった場合に、ユーザが続けて言い直した第二の入力音声を登録音声として登録する方法を開示している。すなわち、第一の入力音声と第二の入力音声が類似している場合に、これが言い直しであると判断し、さらにユーザによる手動操作があった場合に、その手動操作で指示されたコマンドに対する登録音声として第一の音声を追加登録するというものである。このように、実行時の入力音声を登録音声として追加登録することで、その後の認識精度を向上させることができ、代わりに登録時は１回の発声で済ませることが可能になる。しかしこの方法では、認識誤りに対してユーザが同じ言葉を言い直すこと、さらに手動操作が入ることが前提になっている。この状況は確実に起こるものではなく、追加登録による効果が現れるかどうかは不確実である、という問題がある。
【課題を解決するための手段】
【０００６】
上記問題を解決するために、本発明に係る情報処理装置は、ユーザが発声した音声を取得する取得手段と、前記取得手段で取得した登録対象の音声に対応する音声情報を登録音声情報としてメモリに登録する登録手段と、前記取得手段で取得した認識対象の音声を、前記メモリに登録されている音声情報を用いて音声認識し、１つ又は複数の認識結果を出力する音声認識手段と、前記音声認識手段により出力された１つ又は複数の認識結果の中から、ユーザが意図した認識結果を特定する特定手段とを備え、前記登録手段は、前記特定手段によって特定された認識結果に対応する登録音声情報として、前記認識対象の音声に対応する音声情報を登録することを特徴とする。
【発明の効果】
【０００７】
本発明によれば、音声登録時に、音声を２回以上発声させる負担を負わせることなく、実行時の音声認識の精度を、登録時に２回以上発声した場合の精度に近づけることが可能となる。
【発明を実施するための最良の形態】
【０００８】
以下、添付図面を参照して本発明に係る実施の形態を詳細に説明する。ただし、この実施の形態に記載されている構成要素はあくまでも例示であり、本発明の範囲をそれらのみに限定する趣旨のものではない。
【実施例１】
【０００９】
以下、図面を参照して本発明の実施例１を詳細に説明する。本実施例では、本発明に係る情報処理装置の例として、図１の１０１のような携帯電話を操作するケースを挙げて説明する。携帯電話１０１は、液晶画面１０２を有し、キー１０３の操作と、マイク１０４からの音声入力による操作が可能である。
【００１０】
図２は、本実施例に係る携帯電話１０１の構成を表すブロック図である。同図において、２０１は音声入力部である。２０２は音声認識部である。２０３は音声認識部２０２が用いる音声認識文法保持部である。２０４は確認ダイアログをユーザに提示するか否かを判定する判定部である。２０５は、判定部２０４が確認ダイアログを提示すると判定した場合に不図示の表示画面や不図示の音声出力部等を介して確認ダイアログをユーザに提示し、ユーザからの入力を受け取る確認部である。２０６は、確認部２０５でのユーザの指示入力が終わった時に、音声入力部２０１を介して取得した音声を認識し、該音声に対応する音声情報として、音節系列を出力する音節認識部である。２０７は、音節認識部２０６が用いる音節認識文法保持部である。２０８は、音節認識部２０６が出力した音節系列を、登録音声情報として音声認識文法保持部２０３に登録する登録部である。
【００１１】
図３は、本実施例に係る携帯電話１０１のハードウエア構成を示す構成図である。同図において、３０１はＣＰＵであり、後述する携帯電話１０１の動作手順を実現するプログラムに従って動作する。３０２はＲＡＭであり、上記プログラムの動作に必要な記憶領域を提供する。３０３はＲＯＭであり、上記プログラムの動作手順を実現するプログラムなどを保持する。３０４は図１の１０３に示すような各種ボタンである。３０５は図１の１０４に示すようなマイクである。３０６は図１の１０２に示すようなＬＣＤである。３０７はバスである。
【００１２】
本実施例では、電話番号のメモリ登録機能において、登録した電話番号に対応する音声を登録し、登録した音声で登録電話番号を呼び出すケースを説明する。
【００１３】
まず、電話番号をメモリ登録する際の処理を、図４のフローチャートに沿って説明する。図６の６０１は、携帯電話の所定の操作で、メモリ登録画面を呼び出した場面を表している。まず、図６の６０１のように、登録する電話番号の入力を促し、電話番号をキー１０３を用いて入力させる（Ｓ４０１）。続いて、６０２のような画面で、その電話番号を呼び出す操作をするための登録音声の入力を促す。ユーザは、マイク１０４に向かって、登録対象となる登録音声を発声する（Ｓ４０２）。登録音声はどんな発声でもよい。ここでは、登録電話番号が友人の山田太郎氏のものだったとして、「タロークン」と発声したとする。この入力音声を音節認識部２０６で認識する（Ｓ４０３）。音節認識部２０６は音節認識文法保持部２０７の文法に基づいて認識処理を行う。この文法は、任意の音節列パターンを受理できるように記述されている。音声認識結果は、音節列の形で出力される。入力音声「タロークン」を正確に認識できた場合の認識結果の音節列は、”ｔａ−ｒｏｏ−ｋｕ−ｎ”となるが、音節列の認識は１００％正確にできるとは限らず、”ｔｏａ−ｒｅｏ−ｋｕ−ｎ”のように正確な音節列とは異なる音節列が出力されることもある。この出力音節列を音声認識文法保持部２０３の音声認識文法に、登録する電話番号０９０１１１１ＸＸＸＸと対応付けて登録し（Ｓ４０４）、図６の６０３のようなメッセージを表示する。同様にして、複数の電話番号と対応する音声を登録した結果の音声認識文法２０３の例が図９である。このように、登録音声の音節認識結果の音節列と対応する電話番号がペアになって登録される。右側には、参考として、どのような発声をしたかを示した。
【００１４】
続いて、図５のフローチャートに沿って、メモリ登録された電話番号を、音声入力で呼び出して電話をかける場合の動作を説明する。図７の７０１は、携帯電話の所定の操作で、メモリ登録された電話番号を音声入力により呼び出して発信するための画面を呼び出した場面を表している。図７の７０１のように、音声入力を促し、音声入力させる（Ｓ５０１）。この認識対象である入力音声を音声認識部２０２で認識する（Ｓ５０２）。この音声認識は、音声認識文法保持部２０３の文法を用いて行う。本例では、図９が音声認識文法となる。音声認識結果は、表示制御手段によって、確信度付きＮ−ｂｅｓｔとして表示画面に出力される。例えば、友人の山田太郎氏に電話をかけようとして、“タロークン”と音声入力した場合、認識結果は図１０のような形で出力される。この認識結果の第一位候補が、第二位以下の候補に対して有意な差を持つかどうかを判定する（Ｓ５０３）。ここでは、確信度スコアの値が０．７以上であれば、有意な差であると判定するものとする。図１０では、認識結果第一位の確信度スコアは０．７５であるので、有意な差があると判定される。この場合は、第一位の電話番号が、ユーザが意図するものに一致すると判断し、その電話番号への発信操作を行う（Ｓ５０７）。図７の７０２は発信中の画面表示である。一方、認識結果が図１１のような場合、第一位の確信度スコアが０．７５以上ではないので、図８の８０２のような、Ｎ−ｂｅｓｔリストによる確認ダイアログを表示する（Ｓ５０４）。ユーザは、所定のキー操作によって、この中から所望の電話番号を選択する（Ｓ５０５）。ここでは、２番目の電話番号を選択する。そして選択された電話番号への発信が行われる（Ｓ５０７）が、その前に、Ｓ５０６の処理が行われる。所望の電話番号がユーザによって選択されると、Ｓ５０１で発声された音声が、電話番号０９０１１１１ＸＸＸＸに対応するものであることがわかる。そこで、この音声に対応する音声情報を、電話番号０９０１１１１ＸＸＸＸに発信するための操作情報に対応する登録音声情報として追加登録する。登録の方法は、図４のＳ４０３、Ｓ４０４の手順と同じである。この結果、音声認識文法保持部２０３の音声認識文法は、図１２のようになり、電話番号０９０１１１１ＸＸＸＸ（山田太郎氏の電話番号）に対して２種類の音節列が登録された状態になる。
【００１５】
以上のようにして、登録音声の登録操作は１回で済むが、電話番号呼び出し時の入力音声を利用して、２つ以上の登録音声が登録された状態を作ることができ、その後の認識率を向上させることができる。
【実施例２】
【００１６】
実施例１では、図５のＳ５０３において、第一位候補の確信度スコアが所定の値より大きいか否かで、有意な差であるか否かを判定していた。これに対し、第一位候補の確信度スコアと第二位候補の確信度スコアが所定の差以上であることをもって、有意な差であると判定するようにしてもよい。
【実施例３】
【００１７】
上記実施例では、認識結果の確信度スコアによって、図８の８０２のダイアログを表示するか否かの判定を行っていた。これに対し、ダイアログを表示する前に第一位の結果に対する動作を実行し、それがユーザによって取り消された場合に、Ｎ−ｂｅｓｔダイアログを表示するようにしてもよい。例えば、図１３のように、１３０１で入力音声に対する認識結果の第一位の電話番号に発信した直後に、１３０３のように所定の操作で取り消しが行われた場合に、１３０４のようにダイアログ表示するようにしてもよい。
【実施例４】
【００１８】
上記実施例では、携帯電話でメモリ登録された電話番号を音声で呼び出す例を示したが、本発明は、さまざまなデバイス、さまざまなシステムの音声操作に適用できることは言うまでもない。音声登録型音声認識を用いたユーザインタフェースであれば、例えば、複写機の音声操作、デジタルカメラの音声操作、デジタルテレビの音声操作などにも適用可能である。また、表示を伴わない音声のみの対話でもよい。例えば、コールセンターの音声対話で、
Ｓｙｓ：製品についてのお問い合わせは”１”を、故障修理のお問い合わせは”２”を押      してください。
Ｕｓｅｒ：［“２”を押下］
Ｓｙｓ：コンパクトカメラの場合は”１”を・・・。
Ｕｓｅｒ：［“１”を押下］
Ｓｙｓ：担当者におつなぎ致します。ここまでの操作を登録する場合は、登録する音声を      発声してください。登録しない場合は、そのままお待ちください。
Ｕｓｅｒ：カメラコショー
Ｓｙｓ：音声を登録しました。担当者におつなぎ致します。
のようにして、コンパクトカメラの故障修理の問合せをする操作情報に対応する登録音声を登録したとする。その後、このユーザが再度このコールセンターに電話した場合、以下のような対話を行う。
（１）’Ｓｙｓ：製品についてのお問い合わせは”１”を、故障修理のお問い合わせは”２”を押してください。
（２）’Ｕｓｅｒ：カメラコショー
（３）’Ｓｙｓ：カメラコショーでよろしいですか？
（４）’Ｕｓｅｒ：はい
（５）’Ｓｙｓ：担当者におつなぎ致します。
（３）’のような確認とそれに対する（４）’の返答により、（２）’の入力音声が、コンパクトカメラの故障修理問い合わせ担当者へつなぐことを意図したものであると判断される。そこで、（５）’で担当者へつなぐ処理を実行するとともに、（２）’の入力音声を登録音声として登録する。なお、（３）’のシステム音声は、「カメラコショー」の部分には（６）の登録音声が用いられ、「でよろしいですか」という音声データと結合することにより生成される。
【実施例５】
【００１９】
上記実施例では、登録時の入力音声を音節認識部２０６で認識した結果の音節列を登録部２０８によって音声認識文法保持部２０３に登録し、実行時の入力音声を、音声認識文法保持部２０３の音声認識文法を用いて音声認識部２０２で認識するようにしていた。これに対し、図１４のような構成でも実施可能である。同図において、１４０１は音声入力部である。１４０２は音節認識部である。１４０３は音節認識部１４０２が用いる音節認識文法保持部である。１４０４は評価部である。１４０５は確認ダイアログをユーザに提示するか否かを判定する判定部である。１４０６は、判定部１４０５が確認ダイアログを提示すると判定した場合に確認ダイアログをユーザに提示し、ユーザからの入力を受け取る確認部である。１４０７は音節列保持部である。１４０８は、確認部１４０６でのユーザの指示入力が終わった時に、音節認識部１４０２が出力した音節系列を、音節列保持部１４０７に登録する登録部である。
【００２０】
入力音声は、登録時も実行時も、音節認識部１４０２で認識される。音節認識部１４０２は認識結果として音節列を出力する。登録音声は、音節列の形で、音節列保持部１４０７に登録される。登録内容は、図９と同様である。評価部１４０４は、音節認識部１４０２が出力した音節列と、音節列保持部１４０７に登録された各音節列の一致度を計算し、一致度の高い順に一致度スコアとともにＮ−ｂｅｓｔ出力する。判定部１４０５は、実施例１と同様、Ｎ−ｂｅｓｔ出力の内容に基づいて動作する。
【実施例６】
【００２１】
上記実施例では、音声認識結果に対して、確認ダイアログや確認メッセージによってユーザが意図したものを特定するようにしていたが、本発明はこのような形態に限られない。音声認識結果の第一候補を実行し、ユーザがその実行結果に対して取り消し処理を行わなかった場合に認識結果の第一候補がユーザの意図に合っていたと判断し、その第一候補に対する登録音声として、入力音声の情報を登録するよう構成しても構わない。
【実施例７】
【００２２】
上記実施例では、音声情報として、音節列を登録する例をあげて説明したが、本発明はこれに限られず、音声データを登録する構成としても構わない。その場合、まず、ユーザが発声した登録対象の音声に対応する音声データをメモリに記憶しておき、別途ユーザが発声した認識対象の音声と、メモリに記憶された音声データとを比較して１つ又は複数の認識結果を出力する。そして、出力された１つ又は複数の認識結果の中から、ユーザが意図した認識結果を特定し、特定した認識結果に対応する登録音声情報として、認識対象の音声に対応する音声データをメモリに登録するといった構成となる。
【実施例８】
【００２３】
なお、本発明の目的は次のようにしても達成される。即ち、前述した実施形態の機能を実現するソフトウェアのプログラムコードを記録した記憶媒体を、システムあるいは装置に供給する。そして、そのシステムあるいは装置のコンピュータ（またはＣＰＵやＭＰＵ）が記憶媒体に格納されたプログラムコードを読み出し実行する。このようにしても目的が達成されることは言うまでもない。
【００２４】
この場合、記憶媒体から読み出されたプログラムコード自体が前述した実施形態の機能を実現することになり、そのプログラムコードを記憶した記憶媒体は本発明を構成することになる。
【００２５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００２６】
また、本発明に係る実施の形態は、コンピュータが読出したプログラムコードを実行することにより、前述した実施形態の機能が実現される場合に限られない。例えば、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００２７】
さらに、本発明に係る実施形態の機能は次のようにしても実現される。即ち、記憶媒体から読出されたプログラムコードが、コンピュータに挿入された機能拡張ボードやコンピュータに接続された機能拡張ユニットに備わるメモリに書込まれる。そして、そのプログラムコードの指示に基づき、その機能拡張ボードや機能拡張ユニットに備わるＣＰＵなどが実際の処理の一部または全部を行う。この処理により前述した実施形態の機能が実現されることは言うまでもない。
【図面の簡単な説明】
【００２８】
【図１】本発明の実施例１に係る携帯電話である。
【図２】本発明の実施例１に係る携帯電話１０１のブロック図である。
【図３】本発明の実施例１に係る携帯電話１０１のハードウエア構成図ある。
【図４】本発明の実施例１に係る携帯電話１０１上で、登録電話番号に対する音声を登録する処理を説明するフローチャートである。
【図５】本発明の実施例１に係る携帯電話１０１上で、メモリ登録された電話番号を音声入力で呼び出して電話をかける場合の動作を説明するフローチャートである。
【図６】本発明の実施例１に係る携帯電話１０１上で、登録電話番号に対する音声を登録する際の画面表示の遷移例を示す図である。
【図７】本発明の実施例１に係る携帯電話１０１上で、メモリ登録された電話番号を音声入力で呼び出して電話をかける場合の画面表示の遷移例を示す図である。
【図８】本発明の実施例１に係る携帯電話１０１上で、メモリ登録された電話番号を音声入力で呼び出して電話をかける場合の確認ダイアログの表示を含む画面表示の遷移例である。
【図９】本発明の実施例１に係る音声認識文法の例である。
【図１０】本発明の実施例１に係る音声認識部が出力する確信度付きＮ−ｂｅｓｔの例である。
【図１１】本発明の実施例１に係る音声認識部が出力する確信度付きＮ−ｂｅｓｔの別の例である。
【図１２】本発明の実施例１に係る音声認識文法で、新規に登録音声の音節列が追加された場合の例図である。
【図１３】本発明の実施例３に係る携帯電話１０１上で、メモリ登録された電話番号を音声入力で呼び出した直後、取り消し処理が行われた場合に確認ダイアログを表示する場合の画面表示の遷移例を示す図である。
【図１４】本発明の実施例５に係る携帯電話１０１のブロック図である。
【符号の説明】
【００２９】
２０１  音声入力部
２０２  音声認識部
２０３  音声認識文法保持部
２０４  判定部
２０５  確認部
２０６  音節認識部
２０７  音節認識文法保持部
２０８  登録部
【図１】
2009104047.tif 000003
【図２】
2009104047.tif 000004
【図３】
2009104047.tif 000005
【図４】
2009104047.tif 000006
【図５】
2009104047.tif 000007
【図６】
2009104047.tif 000008
【図７】
2009104047.tif 000009
【図８】
2009104047.tif 000010
【図９】
2009104047.tif 000011
【図１０】
2009104047.tif 000012
【図１１】
2009104047.tif 000013
【図１２】
2009104047.tif 000014
【図１３】
2009104047.tif 000015
【図１４】
2009104047.tif 000016